(57)【要約】【課題】箱体内の側部に収容される緩衝体を箱体内から上方へスムーズに取出すことができる梱包箱を提供する。【解決手段】被梱包物を収容し、上部を開放することが可能な箱体２と、箱体２内の側部に収容され、該箱体２の上部から取出すことが可能な緩衝体４とを備え、箱体２の側板部２２に、基端部より下側に先端部が位置する第１の折曲片２６を切目２７により設け、緩衝体４には第１の折曲片２６に対応する位置で、基端部より上側に先端部が位置する第２の折曲片４１を切目４２により設け、内側へ折曲げられた第１及び第２の折曲片２６、４１が上下に対向するようにした。【選択図】図５
2010070205.tif 000002
【特許請求の範囲】
【請求項１】
被梱包物を収容し、上部を開放することが可能な箱体と、該箱体内の側部に収容され、該箱体の上部から取出すことが可能な緩衝体とを備える梱包箱において、前記箱体の側板部には、基端部より下側に先端部が位置する第１の折曲片を設けてあり、前記緩衝体は板紙部分を有し、該板紙部分には、前記第１の折曲片に対応する位置で基端部より上側に先端部が位置する第２の折曲片を設けてあることを特徴とする梱包箱。
【請求項２】
前記第１及び第２の折曲片の上下方向長さは異なる請求項１記載の梱包箱。
【請求項３】
前記第２の折曲片の上下方向長さは前記第１の折曲片の上下方向長さよりも長い請求項１記載の梱包箱。
【請求項４】
前記緩衝体は、前記第２の折曲片の基端部が前記第１の折曲片の先端とほぼ等しい上下位置にある請求項２又は３記載の梱包箱。
【請求項５】
前記箱体は平面視矩形をなし、対向する短辺側の側板部に前記第１の折曲片が設けられている請求項１から４のいずれか一つに記載の梱包箱。
【請求項６】
前記緩衝体は、前記板紙部分にて保持される合成樹脂製の緩衝部分を有する請求項１から５のいずれか一つに記載の梱包箱。
【発明の詳細な説明】
【技術分野】
【０００１】
本発明は段ボール箱等の箱体に収容して包装される電気機器などの被包装物に外部から加わる力を緩衝するための緩衝体を前記箱体内に収容してなる梱包箱に関する。
【背景技術】
【０００２】
薄型テレビジョン等の電気機器を段ボール箱に収容して包装する梱包箱は、上部に内蓋及び外蓋を有し、内部に被梱包物が収容される箱本体と、該箱本体内の下部両側に収容され、断面Ｌ字形をなす下緩衝体と、箱本体内の上部に収容される上緩衝体とを備え、下緩衝体及び上緩衝体が被梱包物を保護し、輸送時の衝撃による電気機器の変形を防ぐように構成されている。箱本体の二つの側板部には、Ｕ字形をなす指掛孔用の第１折曲片と、該第１折曲片を復元させるための第２折曲片とが切目により設けられている。下緩衝体は、被梱包物が載置される底緩衝部と、箱本体の側板部及び被梱包物の間に配される横緩衝部とを有し、該横緩衝部の前記第１折曲片と対応する箇所に貫通孔が開設されている（例えば、特許文献１参照）。
【０００３】
このように構成された梱包箱は、箱本体の第１折曲片を内側へ折曲げることにより前記貫通孔に対応する指掛孔が開設され、この指掛孔及び貫通孔に指掛けすることにより梱包箱を持上げ、搬送することができる。また、指掛孔が開設された後、指掛孔から第２折曲片を外側へ折曲げることにより、箱本体内の第１折曲片を元位置へ復元させることができる。
【０００４】
図８は薄型テレビジョンを梱包する従来の梱包箱の構成を示す分解斜視図、図９は梱包箱の指掛孔用部分の構成を示す断面図である。比較的大形の薄型テレビジョンＡを梱包する梱包箱は、薄型テレビジョンが載置される底ケース８０と、薄型テレビジョンＡに套嵌され、上部を開放することが可能な箱体８１とを備え、また、下緩衝体８２及び上緩衝体８３の他、箱体８１内の両側に収容される中緩衝体８４を備え、箱体８１の二つの側板部８１ａに、Ｕ字形をなす指掛孔用の折曲片８５が切目により設けられている。
【０００５】
中緩衝体８４は、薄型テレビジョンＡの両側部に嵌合される発泡スチロール製の緩衝部分８４ａと、該緩衝部分８４ａを保持し、箱体８１の内側面と対向する段ボール紙製の板紙部分８４ｂとを有し、該板紙部分８４ｂに、折曲片８５に対応する貫通孔８６が開設され、折曲片８５の内側への折曲げにより開設される指掛孔及び貫通孔８６に指掛けすることにより梱包箱を搬送することができるように構成されている。
【特許文献１】特開２００８−１３３０２２号公報
【発明の開示】
【発明が解決しようとする課題】
【０００６】
ところが、特許文献１のように箱本体の二つの側板部に指掛孔用の折曲片を設け、この折曲片に対応する貫通孔を下緩衝体に設けてある梱包体にあっては、折曲片が内側へ折曲げられ、指掛孔が開設されたとき、折曲片が貫通孔に入るため、指掛孔が開設されている状態で被梱包物とともに下緩衝体を箱本体内から上方へ取出すとき、折曲片が貫通孔に引掛かり、被梱包物とともに下緩衝体を取出すことができなくなる恐れがある。
【０００７】
図１０は中緩衝体が箱体内から上方へ取出される過程を示す説明図である。図８に示すように箱体８１の二つの側板部８１ａに指掛孔用の折曲片８５を設け、この折曲片８５に対応する貫通孔８６を中緩衝体８４に設けてある梱包体にあっても、折曲片８５が内側へ折曲げられ、指掛孔が開設されたとき、折曲片８５が貫通孔８６に入るため、指掛孔が開設されている状態で中緩衝体８４を箱体８１内から上方へ取出すとき、折曲片８５が貫通孔８６に引掛かり、中緩衝体８４を取出すことができなくなることがある。
【０００８】
本発明は斯かる事情に鑑みてなされたものであり、主たる目的は被梱包物を収容する箱体の側板部に、基端部より下側に先端部が位置する第１の折曲片を設け、箱体内の側部に収容される緩衝体に、前記第１の折曲片に対応する位置で基端部より上側に先端部が位置する第２の折曲片を設けることにより、緩衝体を箱体内から上方へスムーズに取出すことができる梱包箱を提供することにある。
また、他の目的は第１及び第２の折曲片の上下方向長さを異ならせることにより、指掛孔に差し込まれた指を指掛孔から容易に抜出すことができる梱包箱を提供することにある。
【課題を解決するための手段】
【０００９】
本発明に係る梱包箱は、被梱包物を収容し、上部を開放することが可能な箱体と、該箱体内の側部に収容され、該箱体の上部から取出すことが可能な緩衝体とを備える梱包箱において、前記箱体の側板部には、基端部より下側に先端部が位置する第１の折曲片を設けてあり、前記緩衝体は板紙部分を有し、該板紙部分には、前記第１の折曲片に対応する位置で基端部より上側に先端部が位置する第２の折曲片を設けてあることを特徴とする。
【００１０】
この発明にあっては、箱体の第１の折曲片を内側へ折曲げ、緩衝体の第２の折曲片を内側へ折曲げることにより指掛孔が開設され、この指掛孔の孔縁に指を引掛けることができ、この状態で梱包箱を持上げ、搬送することができる。内側へ折曲げられた第１の折曲片は基端部より下側に先端部があり、第２の折曲片は基端部より上側に先端部があり、箱体内で第１及び第２の折曲片が上下に対向するため、緩衝体を箱体内から上方へ取出すとき、第２の折曲片の基部が第１の折曲片の基部に接触し、第２の折曲片が第１の折曲片を折曲方向へ押圧しつつ該第１の折曲片により上方へ案内され、第２の折曲片の引掛りを防ぐことができるため、緩衝体を箱体内から上方へスムーズに取出すことができる。
【００１１】
また、本発明に係る梱包箱は、前記第１及び第２の折曲片の上下方向長さは異なる構成とするのが好ましい。
この発明にあっては、箱体内で上下に対向する第１及び第２の折曲片の先端縁間に横方向の距離があるため、指掛孔に差し込まれた指を長い方の折曲片が案内することになり、長い方の折曲片に沿って指を指掛孔から容易に抜き出すことができる。
【００１２】
また、本発明に係る梱包箱は、前記第２の折曲片の上下方向長さは前記第１の折曲片の上下方向長さよりも長い構成とするのが好ましい。
この発明にあっては、箱体内で上下に対向する第１及び第２の折曲片の先端縁間に横方向の距離があり、下側の第２の折曲片が、上側の第１の折曲片よりも長いため、指掛孔に差し込まれた指の甲側で第２の折曲片を押圧しつつ第２の折曲片に沿って指を指掛孔から容易に抜き出すことができる。しかも、箱体の折曲片は緩衝体の折曲片よりも短いため、折曲片による箱体の強度低下を低減でき、折曲片を有する箱体の耐久性を高めることができる。
【００１３】
また、本発明に係る梱包箱は、前記緩衝体は、前記第２の折曲片の基端部が前記第１の折曲片の先端とほぼ等しい上下位置にある構成とするのが好ましい。
この発明にあっては、箱体の折曲片の基端部が、緩衝体の折曲片の先端よりも下側にあるため、第１及び第２の折曲片が箱体の内側へ折曲げられるとき、箱体の折曲片の折曲げ角度を大きくすることができ、持上げて搬送する際に指を滑り難くすることができる。
【００１４】
また、本発明に係る梱包箱は、前記箱体は平面視矩形をなし、対向する短辺側の側板部に前記第１の折曲片が設けられている構成とするのが好ましい。
この発明にあっては、横幅が短い短辺側の側板部に折曲片が設けられているため、折曲片の折曲げにより開設される指掛孔に指が差し込まれて持ち上げられる際の側板部の剛性を高めることができ、箱体の耐久性を高めることができる。
【００１５】
また、本発明に係る梱包箱は、前記緩衝体は、前記板紙部分にて保持される合成樹脂製の緩衝部分を有する構成とするのが好ましい。
この発明にあっては、板紙部分を成形する成形型により第２の折曲片を成形することができ、第２の折曲片を有する緩衝体のコストを低減できる。
【発明の効果】
【００１６】
本発明によれば、箱体の内側へ折曲げられた第１の折曲片は基端部より下側に先端部があり、第２の折曲片は基端部より上側に先端部があり、箱体内で第１及び第２の折曲片が上下に対向するため、緩衝体を箱体内から上方へ取出すとき、第２の折曲片の基部が第１の折曲片の基部に接触し、第２の折曲片が第１の折曲片を折曲方向へ押圧しつつ該第１の折曲片により上方へ案内され、緩衝体を箱体内から上方へスムーズに取出すことができる。
【発明を実施するための最良の形態】
【００１７】
以下本発明をその実施の形態を示す図面に基づいて詳述する。
図１は薄型テレビジョンを梱包する本発明に係る梱包箱の構成を示す分解斜視図、図２は梱包箱の指掛孔部分の構成を示す縦断面図、図３は箱体の構成を示す展開図である。
【００１８】
図１に示した梱包箱は、薄型テレビジョンＡが載置される段ボール紙製の底ケース１と、薄型テレビジョンＡに套嵌される段ボール紙製の箱体２と、該箱体２内の対向する側部に収容される緩衝体４と、底ケース１内の両側部及び中央部に収容される三つの下緩衝体５と、箱体２内の両側部及び中央部に収容される四つの上緩衝体６とを備える。
【００１９】
底ケース１は、長方形をなす底板と、該底板の長辺に連なる二つの長側板１１と、底板の短辺に連なる二つの短側板１２とを有する略直方体をなし、長側板１１の長手方向両側には箱体係止用の係止具が嵌入される係止孔が開設されている。
【００２０】
箱体２は、下部が開放され、平面視矩形の略直方体をなし、二つの長側板２１と、該長側板２１の長手方向両端に折目を介して連なる二つの短側板２２と、短側板２２の上端に折目を介して連なる二つの内蓋２３及び長側板２１の上端に折目を介して連なる二つの外蓋２４とを有し、長側板２１の下部で長手方向両側には係止孔１３に対応する挿通孔２５が開設されており、短側板２２の下側には基端部２６ａより下側に先端部が位置する指掛孔用の第１の折曲片２６が切目２７により設けられている。
【００２１】
第１の折曲片２６は外部から指で押圧することにより基端部２６ａから内側へ折曲がるように構成されている。
【００２２】
緩衝体４は、薄型テレビジョンＡの両側部に嵌合される発泡スチロール製の緩衝部分４ａと、該緩衝部分４ａを保持し、箱体２の短側板２２と対向する段ボール紙製の板紙部分４ｂとを有し、該板紙部分４ｂの下部で第１の折曲片２６に対応する位置には基端部４１ａより上側に先端部が位置する第２の折曲片４１が切目４２により設けられている。
【００２３】
第２の折曲片４１は外部から指で押圧することにより基端部４１ａから内側へ折曲がり、第１の折曲片２６と上下に対向するように構成されている。第２の折曲片４１の基端部４１ａは第１の折曲片２６の先端とほぼ等しい上下位置にある。
【００２４】
図４は緩衝体における板紙部分の構成を示す展開図である。板紙部分４ｂは、長手方向が上下となる長方形をなし、幅方向中間に二つの折目４３が平行的に設けられ、上下方向中央部に貫通孔４４及び該貫通孔４４内に突出する二つの係止片４５が設けられており、下部に第２の折曲片４１が設けられており、幅方向両側部を折目４３から同一方向へ折曲げることにより平面視略コ字形に形成される。このコ字形に折曲げられた状態で緩衝部分４ａとともに箱体２内に上方から挿入されることにより、板紙部分４ｂの下端が下緩衝体５の上面に当接し、緩衝部分４ａの箱体２に対する位置を保持することができるようになっている。また、上部にも第２の折曲片４１と同様の第２の折曲片４１が設けられ、板紙部分４ｂを上下反対にした場合においても第１の折曲片２６と対応する位置に第２の折曲片４１を配することができるように構成されている。
【００２５】
緩衝部分４ａは平面視略コ字形をなし、略コ字形に折曲げられた板紙部分４ｂが嵌入される嵌入溝と、該嵌入溝に連なり、折曲げられた係止片４５を係止するための係止凹部とを有する。
【００２６】
以上のように構成された梱包箱は、底ケース１１内に三つの下緩衝体５が横方向へ離隔して収容され、下緩衝体５夫々に薄型テレビジョンＡが載置された後、上方から薄型テレビジョンＡの周りに箱体２が套嵌され、該箱体２の短側板２２と薄型テレビジョンＡの両側部との間に二つの緩衝体４が挿入され、薄型テレビジョンＡの上部に四つの上緩衝体６が嵌合され、内蓋２３及び外蓋２４が閉じられる。箱体２は挿通孔２５から底ケース１の係止孔１３に挿入する係止具により底ケース１と一体的に結合される。また、箱体２内の緩衝体４は板紙部分４ｂの下端が下緩衝体５の上面に当接して箱体２に対する位置が保持され、箱体２の第１の折曲片２６と緩衝体４の第２の折曲片４１とが対向している。
【００２７】
図５は第１及び第２の折曲片が内側へ折曲げられた状態の説明図である。薄型テレビジョンＡを梱包してある梱包箱は、例えば二人の作業者が梱包箱の両側部を把持して搬送される。この際、箱体２の両側部に設けられている第１の折曲片２６が外部から指で押圧されて内側へ折曲げられ、さらに該指で第２の折曲片４１が押圧されて内側へ折曲げられ、箱体２及び緩衝体４に指掛孔が開設される。この指掛孔に指を掛けて梱包箱を持上げることにより搬送することができ、搬送後、指掛孔から指が抜き出される。
【００２８】
内側へ折曲げられた第１及び第２の折曲片２６、４１は上下に対向し、第１及び第２の折曲片２６、４１間に指が挿入されているが、第１の折曲片２６の上下方向長さは第２の折曲片４１の上下方向長さよりも短く、第１及び第２の折曲片２６、４１の先端縁間に横方向の距離があり、下側の第２の折曲片４１が、上側の第１の折曲片２６よりも長いため、指掛孔に差し込まれた指の甲側で第２の折曲片４１を押圧しつつ第２の折曲片４１に沿って指を指掛孔から容易に抜き出すことができる。
【００２９】
図６は緩衝体が箱体内から上方へ取出される過程を示す説明図である。薄型テレビジョンＡを梱包してある梱包箱の開梱は、箱体２の内蓋２３及び外蓋２４を開放し、四つの上緩衝体６を上方へ取外し、二つの緩衝体４を上方へ取出した後、係止具による箱体２と底ケース１との結合を解除し、箱体２を薄型テレビジョンＡの上方へ持上げることにより、薄型テレビジョンＡの底部を除く上側を開放することができる。
【００３０】
二つの緩衝体４を箱体２内から上方へ取出す場合、図６に示すように第２の折曲片４１の基部が第１の折曲片２６の基部に接触し、第２の折曲片４１が第１の折曲片２６を折曲方向へ押圧しつつ該第１の折曲片２６により上方へ案内され、第２の折曲片４１の引掛りを防ぐことができ、この状態で緩衝体４を箱体２内から上方へスムーズに取出すことができる。
【００３１】
また、以上のように第１及び第２の折曲片２６、４１を有する構成において、第１の折曲片２６の上下方向長さは第２の折曲片４１の上下方向長さよりも短く、第１の折曲片２６の大きさが比較的小さいため、第１の折曲片２６による箱体２の強度低下を低減でき、折曲片２６を有する箱体２の耐久性を高めることができる。
【００３２】
尚、以上説明した実施の形態では、底ケース１と、下部が開放された箱体２とを備える構成としたが、その他、底ケース１がなく、前記箱体２が底部を有する構成としてもよい。この場合、箱体２内に収容された薄型テレビジョンＡ等の被梱包体は箱体２の底部で支持される。
【００３３】
また、以上説明した実施の形態では、第２の折曲片４１の上下方向長さを第１の折曲片２６の上下方向長さよりも長く構成したが、その他、第１の折曲片２６の上下方向長さを第２の折曲片４１の上下方向長さよりも長く構成してもよい。この場合においても上述した実施の形態と同様の作用効果を奏する。
【００３４】
また、以上説明した実施の形態では、第２の折曲片４１の上下方向長さを第１の折曲片２６の上下方向長さよりも長く構成したが、その他、第１及び第２の折曲片２６、４１の上下方向長さはほぼ等しくてもよく、第１及び第２の折曲片２６、４１の相対的な長さは特に制限されない。図７は第１及び第２の折曲片２６、４１の上下方向長さをほぼ等しくした構成を示す断面図である。
【００３５】
また、以上説明した実施の形態では、緩衝部分４ａと、該緩衝部分４ａを保持する板紙部分４ｂとを有する緩衝体４を備える構成としたが、その他、緩衝体４は、板紙部分４ｂに段ボール紙等の板紙からなる緩衝部分を設けてある構成としてもよい。この場合、緩衝部分は板紙部分４ｂと別体である他、一体であってもよい。
【００３６】
また、本発明に係る梱包箱が梱包する被梱包体は薄型テレビジョンＡに制限されない。
【図面の簡単な説明】
【００３７】
【図１】薄型テレビジョンを梱包する本発明に係る梱包箱の構成を示す分解斜視図である。
【図２】本発明に係る梱包箱の指掛孔部分の構成を示す縦断面図である。
【図３】本発明に係る梱包箱の箱体の構成を示す展開図である。
【図４】本発明に係る梱包箱の緩衝体における板紙部分の構成を示す展開図である。
【図５】本発明に係る梱包箱の第１及び第２の折曲片が内側へ折曲げられた状態の説明図である。
【図６】本発明に係る梱包箱の緩衝体が箱体内から上方へ取出される過程を示す説明図である。
【図７】本発明に係る梱包箱の第１及び第２の折曲片の上下方向長さをほぼ等しくした構成を示す断面図である。
【図８】薄型テレビジョンを梱包する従来の梱包箱の構成を示す分解斜視図である。
【図９】改善された梱包箱の指掛孔用部分の構成を示す断面図である。
【図１０】改善された梱包箱の中緩衝体が箱体内から上方へ取出される過程を示す説明図である。
【符号の説明】
【００３８】
Ａ    薄型テレビジョン（被梱包物）
２    箱体
２２  側板部（短側板）
２６  第１の折曲片
２６ａ  基端部
４    緩衝体
４ａ  緩衝部分
４ｂ  板紙部分
４１  第２の折曲片
４１ａ  基端部
【図１】
2010070205.tif 000003
【図２】
2010070205.tif 000004
【図３】
2010070205.tif 000005
【図４】
2010070205.tif 000006
【図５】
2010070205.tif 000007
【図６】
2010070205.tif 000008
【図７】
2010070205.tif 000009
【図８】
2010070205.tif 000010
【図９】
2010070205.tif 000011
【図１０】
2010070205.tif 000012